(57)【要約】【課題】タッチパネルの表面の温度を正確に測定することができる電子機器を提供する。【解決手段】テーブル記憶部４は、タッチパネル２の表面の温度とタッチパネル２の静電容量を表わす特性値との関係を定めた対応情報を記憶する。タッチパネル制御部３は、静電容量型のタッチパネル２の静電容量を表わす特性値を検出する。タッチパネル制御部３は、検出した特性値と、テーブル記憶部４に記憶されている対応情報に基づいて、タッチパネル２の表面の温度を推定する。【選択図】図１
2016091052.tif 000002
【特許請求の範囲】
【請求項１】
静電容量型のタッチパネルと、
前記タッチパネルの表面の温度と、前記タッチパネルの静電容量を表わす特性値との関係を定めた対応情報を記憶する記憶部と、
前記タッチパネルの静電容量を表わす特性値を検出し、前記検出した特性値と、前記記憶部に記憶されている対応情報に基づいて、前記タッチパネルの表面の温度を推定するタッチパネル制御部とを備えた、電子機器。
【請求項２】
前記推定したタッチパネルの温度が閾値以上のときに、ユーザに通知する通知部を備えた、請求項１記載の電子機器。
【請求項３】
前記推定したタッチパネルの温度が閾値以下のときに、ユーザに通知する通知部を備えた、請求項１記載の電子機器。
【請求項４】
前記タッチパネル制御部が、前記タッチパネルの静電容量を表わす特性値を検出し、前記タッチパネルの表面の温度を推定している間において、ユーザ前記タッチパネルに触れないように警告する通知部を備える、請求項１記載の電子機器。
【請求項５】
前記タッチパネル制御部は、前記電子機器がスリープモードから復帰した直後において、前記タッチパネルの表面の温度を推定する、請求項１記載の電子機器。
【請求項６】
前記特性値は、前記タッチパネルの静電容量値である、請求項１記載の電子機器。
【請求項７】
前記特性値は、前記タッチパネルに駆動信号を出力したときにタッチパネルから出力される検出信号のレベルが所定値に達するまでの時間である、請求項１記載の電子機器。
【請求項８】
前記特性値は、時定数である、請求項７記載の電子機器。
【請求項９】
静電容量型のタッチパネルと、
前記タッチパネルに駆動信号を出力したときにタッチパネルから出力される検出信号のレベルが所定値に達するまでの時間を特定するタッチパネル制御部と、
前記特定した時間が閾値以下のときに、ユーザに通知する通知部とを備えた電子機器。
【発明の詳細な説明】
【技術分野】
【０００１】
本発明は、電子機器に関し、特に静電容量式のタッチパネルを備えた電子機器に関する。
【背景技術】
【０００２】
従来から、タッチパネルの表面の温度を測定する機能を有する電子機器が知られている。たとえば、特許文献１に記載の電子機器では、温度センサがスピーカに近い位置に実装される。温度センサは、通話時にユーザの顔が近接することによるタッチパネルの表面の温度上昇を検出する。
【先行技術文献】
【特許文献】
【０００３】
【特許文献１】特開２０１２−１７８７１９号公報
【発明の概要】
【発明が解決しようとする課題】
【０００４】
しかしながら、特許文献１に記載の温度センサは、表示パネルとタッチパネルとから構成される操作表示部の内側に実装される。そのため、この温度センサは、携帯端末内部の基板の温度の影響を受けやすい。また、この温度センサは、太陽光によって上昇したタッチパネルの表面の温度を正確に測定することができない。
【０００５】
それゆえ、本発明の目的は、タッチパネルの表面の温度を正確に測定することができる電子機器を提供することである。
【課題を解決するための手段】
【０００６】
本発明の一態様の電子機器は、静電容量型のタッチパネルと、タッチパネルの表面の温度と、タッチパネルの静電容量を表わす特性値との関係を定めた対応情報を記憶する記憶部と、タッチパネルの静電容量を表わす特性値を検出し、検出した特性値と、記憶部に記憶されている対応情報に基づいて、タッチパネルの表面の温度を推定するタッチパネル制御部とを備える。
【発明の効果】
【０００７】
本発明の一態様によれば、タッチパネルの表面の温度を正確に測定することができる。
【図面の簡単な説明】
【０００８】
【図１】本発明の実施形態の携帯端末の構成を表わす図である。
【図２】タッチパネルの構成を説明するための図である。
【図３】タッチパネルの静電容量の測定方法を説明するための図である。
【図４】駆動信号ＤＲ１を表わす図である。
【図５】（ａ）は、駆動信号ＤＲ１が供給されたときの、タッチパネル２の表面温度Ｔ１における検出信号ＤＴ１を表わす図である。（ｂ）は、駆動信号ＤＲ１が供給されたときの、タッチパネル２の表面温度Ｔ２における検出信号ＤＴ１を表わす図である。（ｃ）は、駆動信号ＤＲ１が供給されたときのタッチパネル２の表面温度Ｔ３における検出信号ＤＴ１を表わす図である。
【図６】第１の実施形態の温度−静電容量テーブルを表わす図である。
【図７】第１の実施形態におけるタッチパネルの表面の高温判定手順を表わすフローチャートである。
【図８】タッチパネルの表面が高温のときに表示される警告の例を表わす図である。
【図９】第２の実施形態の温度−時間テーブルを表わす図である。
【図１０】第２の実施形態におけるタッチパネルの表面の高温判定手順を表わすフローチャートである。
【図１１】第３の実施形態におけるタッチパネルの表面の高温判定手順を表わすフローチャートである。
【図１２】第４の実施形態におけるタッチパネルの表面の高温判定手順を表わすフローチャートである。
【図１３】第５の実施形態におけるタッチパネルの表面の高温判定手順を表わすフローチャートである。
【図１４】タッチパネルの表面が高温のときに表示される警告の例を表わす図である。
【図１５】タッチパネルの表面が高温のときに表示される警告の例を表わす図である。
【図１６】タッチパネルの表面が高温のときに表示される警告の例を表わす図である。
【図１７】タッチパネルの表面が高温のときに表示される警告の例を表わす図である。
【発明を実施するための形態】
【０００９】
以下、本実施の形態について図面を用いて説明する。
［第１の実施形態］
図１は、本発明の実施形態の携帯端末の構成を表わす図である。
【００１０】
この携帯端末１は、タッチパネル２と、タッチパネル制御部３と、テーブル記憶部４と、表示部５と、通知部６と、アプリケーション実行部７と、音声出力部８と、音声入力部９と、無線通信部１０とを備える。
【００１１】
タッチパネル２は、ユーザからの入力を受け付ける。タッチパネル２は、静電容量方式のタッチパネルである。
【００１２】
表示部５は、ユーザへの問い合わせ画面、または通知画面などを表示する。表示部５は、たとえば、液晶ディスプレイ、有機ＥＬ（Electro-Luminescence）ディスプレイなどで構成される。
【００１３】
音声入力部９には、ユーザの音声などが入力される。音声入力部９は、マイクで構成される。音声入力部９は、携帯端末１に内蔵されるか、または携帯端末１に接続されるイヤホンまたはヘッドフォンに搭載される。
【００１４】
音声出力部８は、受信した通話相手の音声などを出力する。音声出力部８は、たとえば、電磁式スピーカなどで構成される。その他に、たとえば、圧電振動素子から構成され、表面のパネルを振動させることでユーザに音声を伝えるレシーバまたはスピーカでもよい。音声出力部８は、携帯端末１に内蔵されるか、または携帯端末１に接続されるイヤホンまたはヘッドフォンに搭載される。
【００１５】
無線通信部１０は、無線基地局から送信される無線信号を受信し、無線基地局へ無線信号を送信する。
【００１６】
アプリケーション実行部７は、各種のアプリケーションを実行する。
テーブル記憶部４は、温度−静電容量テーブルを記憶する。温度−静電容量テーブルは、タッチパネルの表面の温度と、タッチパネルの静電容量値との関係を定める。
【００１７】
タッチパネル制御部３は、タッチパネル２を制御する。また、タッチパネル制御部３は、着信、メール受信、またはユーザのボタン操作などによって低消費電力モードであるスリープモードが解除された直後において、タッチパネル２の静電容量値を検出し、検出した静電容量値と温度−静電容量テーブルに基づいて、タッチパネル２の表面の温度を推定する。スリープモードか解除された直後において、タッチパネル２の静電容量値を検出し、タッチパネル２の表面の温度を推定するのは、スリープモードか解除された直後は、ユーザがタッチパネル２に触れておらず、かつその後の短時間の間にタッチパネル２に触れる可能性が高いからである。
【００１８】
通知部６は、推定したタッチパネル２の表面の温度が閾値ＴＨ１以上のときに、警告を表示部５に表示する。
【００１９】
タッチパネル制御部３は、駆動および検出回路２５と、タッチ検出部２８と、表面温度推定部２６とを備える。
【００２０】
駆動および検出回路２５は、タッチパネル２に対して駆動信号を出力するとともに、タッチパネル２からの検出信号を受ける。
【００２１】
タッチ検出部２８は、タッチパネル２へ駆動信号を出力した直後のタッチパネル２からの検出信号に基づいて、タッチパネル２へのタッチ箇所を検出する。
【００２２】
表面温度推定部２６は、タッチパネル２へ駆動信号を出力した直後のタッチパネル２からの検出信号に基づいて、タッチパネル２の静電容量値を検出し、さらに温度−静電容量テーブルに基づいて、検出した静電容量値からタッチパネル２の表面の温度を推定する。
【００２３】
図２は、タッチパネル２の構成を説明するための図である。図２では、タッチパネル２の一部のみが示されている。
【００２４】
タッチパネル２は、横方向に配置された透明の送電電極Ｔｘ１、Ｔｘ２、Ｔｘ３と、縦方向に配置された透明の受電電極Ｒｘ１、Ｒｘ２、Ｒｘ３を備える。受電電極Ｒｘ１、Ｒｘ２、Ｒｘ３は、送電電極Ｔｘ１、Ｔｘ２、Ｔｘ３の上側に配置される。
【００２５】
駆動および検出回路２５から送電電極Ｔｘ１、Ｔｘ２、Ｔｘ２へ異なるタイミングで、駆動信号ＤＲ１、ＤＲ２、ＤＲ２が送られる。受電電極Ｒｘ１、Ｒｘ２、Ｒｘ３からの検出信号ＤＴ１、ＤＴ２、ＤＴ３が駆動および検出回路２５へ送られる。
【００２６】
図３は、タッチパネル２の静電容量の測定方法を説明するための図である。
駆動信号ＤＲ１が出力されたときの検出信号ＤＴ１、ＤＴ２、ＤＴ３のレベルの変化を調べることによって、送電電極Ｔｘ１と受電電極Ｒｘ１、Ｒｘ２、Ｒｘ３との交差領域Ｐ（１，１）、Ｐ（１，２）、Ｐ（１，３）の静電容量Ｃ（１，１）、Ｃ（１，２）、Ｃ（１，３）を求めることができる。
【００２７】
図示しないが、同様に、駆動信号ＤＲ２が出力されたときの検出信号ＤＴ１、ＤＴ２、ＤＴ３のレベルの変化を調べることによって、送電電極Ｔｘ２と受電電極Ｒｘ１、Ｒｘ２、Ｒｘ３との交差領域Ｐ（２，１）、Ｐ（２，２）、Ｐ（２，３）の静電容量Ｃ（２，１）、Ｃ（２，２）、Ｃ（２，３）を求めることができる。
【００２８】
図示しないが、同様に、駆動信号ＤＲ３が出力されたときの検出信号ＤＴ１、ＤＴ２、ＤＴ３のレベルの変化を調べることによって、送電電極Ｔｘ３と受電電極Ｒｘ１、Ｒｘ２、Ｒｘ３との交差領域Ｐ（３，１）、Ｐ（３，２）、Ｐ（３，３）の静電容量Ｃ（３，１）、Ｃ（３，２）、Ｃ（３，３）を求めることができる。
【００２９】
次に、タッチパネル２の表面の温度と、測定される静電容量との関係について説明する。
【００３０】
図４は、駆動信号ＤＲ１を表わす図である。
図４に示すように、駆動信号ＤＲ１は、パルス信号である。
【００３１】
図５（ａ）は、駆動信号ＤＲ１が供給されたときの、タッチパネル２の表面温度Ｔ１における検出信号ＤＴ１を表わす図である。
【００３２】
検出信号ＤＴ１の時定数τ１は、Ｒ×Ｃ１で表される。ただし、Ｒは、駆動および検出回路２５の出力端子と入力端子との電流経路の抵抗値である。Ｃ１は、タッチパネル２の表面温度Ｔ１における送電電極Ｔｘ１と受電電極Ｒｘ１の交差領域の静電容量である。
【００３３】
図５（ｂ）は、駆動信号ＤＲ１が供給されたときの、タッチパネル２の表面温度Ｔ２における検出信号ＤＴ１を表わす図である。
【００３４】
Ｔ２＞Ｔ１である。検出信号ＤＴ１の時定数τ２は、Ｒ×Ｃ２で表される。ただし、Ｃ２は、温度Ｔ２における送電電極Ｔｘ１と受電電極Ｒｘ１の交差領域の静電容量である。τ２＜τ１、Ｃ２＜Ｃ１である。この理由は、タッチパネル２は、温度が高くなると、送電電極Ｔｘ１と受電電極Ｒｘ１の間の距離が長くなるため、送電電極Ｔｘ１と受電電極Ｒｘ１の間の静電容量が小さくなるからである。
【００３５】
図５（ｃ）は、駆動信号ＤＲ１が供給されたときのタッチパネル２の表面温度Ｔ３における検出信号ＤＴ１を表わす図である。
【００３６】
Ｔ３＜Ｔ１である。検出信号ＤＴ１の時定数τ３は、Ｒ×Ｃ３で表される。ただし、Ｃ３は、温度Ｔ３における送電電極Ｔｘ１と受電電極Ｒｘ１との間の静電容量である。τ３＞τ１、Ｃ３＜Ｃ１である。この理由は、タッチパネル２は、温度が低くなると、送電電極Ｔｘ１と受電電極Ｒｘ１の間の距離が短くなるため、送電電極Ｔｘ１と受電電極Ｒｘ１の間の静電容量が大きくなるからである。
【００３７】
図５（ａ）〜（ｃ）に示されるように、検出信号ＤＴ１の時定数τを求め、τ＝Ｃ×Ｒの式から送電電極Ｔｘ１と受電電極Ｒｘ１の交差領域の静電容量Ｃを求めることができる。
【００３８】
タッチパネル２の表面の温度が上昇すると、検出信号ＤＴ１の立ち上がりが早くなる。そのため、検出信号ＤＴ１の時定数が減少し、静電容量が減少する。タッチパネル２の表面の温度が減少すると、検出信号ＤＴ１の立ち上がりが遅くなる。そのため、検出信号ＤＴ１の時定数が増加し、静電容量が増加する。
【００３９】
上述の関係は、送電電極Ｔｘ１と受電電極Ｒｘ１との交差領域だけでなく、タッチパネル２の表面の任意の箇所において成り立つ。
【００４０】
なお、タッチパネル２へユーザの指が接触した場合も、送電電極Ｔｘ１と受電電極Ｒｘ１の間の距離が短くなるため、送電電極Ｔｘ１と受電電極Ｒｘ１の間の静電容量が大きくなる。送電電極Ｔｘ１と受電電極Ｒｘ１の間の静電容量が大きくなった原因が、タッチパネル２へユーザの指が触れたか、あるいはタッチパネル２の表面が低温になったかを区別するためには、たとえば、スリープモードからの解除直後などのようにタッチパネル２へのユーザの指が触れる可能性が少ないタイミングで、タッチパネル２の表面の温度を推定するようにすることが必要である。
【００４１】
図６は、第１の実施形態の温度−静電容量テーブルを表わす図である。
図６に示すように、温度−静電容量テーブルには、タッチパネル２の表面の温度がＴ１、Ｔ２、Ｔ３・・・のときの静電容量がＣ１、Ｃ２、Ｃ３・・・であることが定められている。この温度−静電容量テーブルは、タッチパネル２の表面の温度をＴ１、Ｔ２、Ｔ３・・・と変えたときの静電容量を測定する実験を行なうことによって得られる。
【００４２】
タッチパネル２の任意の箇所の静電容量を測定すれば、このテーブルを参照することによって、タッチパネル２の温度の推定が可能となる。
【００４３】
図７は、第１の実施形態におけるタッチパネル２の表面の高温判定手順を表わすフローチャートである。
【００４４】
ステップＳ１０１において、着信、メール受信、またはユーザのボタン操作などによって低消費電力モードであるスリープモードから復帰した直後の場合に、処理がステップＳ１０２に進む。
【００４５】
ステップＳ１０２において、表面温度推定部２６は、タッチパネル２の特定の一か所の静電容量Ｃを検出する。たとえば、表面温度推定部２６は、駆動信号ＤＲ１が出力されたときの検出信号ＤＴ１の時定数を調べることによって、送電電極Ｔｘ１と受電電極Ｒｘ１の交差領域Ｐ（１，１）の静電容量Ｃ（１，１）を求める。
【００４６】
ステップＳ１０３において、表面温度推定部２６は、温度−静電容量テーブルを用いて、検出した静電容量に対応するタッチパネル２の表面の温度Ｔを推定する。
【００４７】
ステップＳ１０４において、推定した温度Ｔが閾値ＴＨ１以上の場合に、処理がステップＳ１０５に進む。
【００４８】
ステップＳ１０５において、通知部６は、図８に示すようにタッチパネル２の表面が高温である旨の警告を表示部５に表示する。
【００４９】
以上のように、本実施の形態によれば、携帯端末内部の温度を測定するのではなく、タッチパネル自体の温度を測定するので、太陽光などによって上昇したタッチパネルの表面の温度を正確に測定することができる。タッチパネルの表面が高温化したときに、ユーザに警告を表示するので、ユーザは、高温化したタッチパネルを触るのを回避することができる。
【００５０】
［第２の実施形態］
本実施の形態では、検出信号からタッチパネル２の静電容量を求めてタッチパネル２の表面の温度を推定するのではなく、検出信号の立ち上がりの速度を直接用いることによって、タッチパネル２の表面の温度を推定する。
【００５１】
図９は、第２の実施形態の温度−時間テーブルを表わす図である。
図９に示すように、温度−時間テーブルには、温度がＴ１、Ｔ２、Ｔ３・・・に対応する時間がｔ１、ｔ２、ｔ３・・・であることが定められている。ここで、ｔｎは、タッチパネル２の表面の温度がＴｎのときに、タッチパネル２の特定の一か所の検出信号が基準値Ｖ０に達するまでの時間を表わす。ここで、０＜Ｖ０≦Ｖａである。Ｖａは、駆動信号の最大値である。たとえば、Ｖ０＝０．６３２×Ｖａとすることもできる。この場合、時間ｔは時定数τとなる。
【００５２】
図１０は、第２の実施形態におけるタッチパネル２の表面の高温判定手順を表わすフローチャートである。
【００５３】
ステップＳ２０１において、着信、メール受信、またはユーザのボタン操作などによって低消費電力モードであるスリープモードから復帰した直後の場合に、処理がステップＳ２０２に進む。
【００５４】
ステップＳ２０２において、表面温度推定部２６は、タッチパネル２の特定の一か所において、検出信号が基準値Ｖ０に達するまでの時間ｔを検出する。たとえば、表面温度推定部２６は、駆動信号ＤＲ１が出力されたときの検出信号ＤＴ１が基準値Ｖ０に達するまでの時間ｔを検出する。
【００５５】
ステップＳ２０３において、表面温度推定部２６は、温度−時間テーブルを用いて、検出した時間ｔに対応するタッチパネル２の表面の温度Ｔを推定する。
【００５６】
ステップＳ２０４において、推定した温度Ｔが閾値ＴＨ１以上の場合に、処理がステップＳ２０５に進む。
【００５７】
ステップＳ２０５において、通知部６は、図８に示すようにタッチパネル２の表面が高温である旨の警告を表示部５に表示する。
【００５８】
以上のように、本実施の形態によれば、検出信号が基準値に達するまでの時間を検出することによってタッチパネルの表面の温度が測定できる。これによって、タッチパネルの静電容量の計算を省略することができる。
【００５９】
[第３の実施形態]
第２の実施の形態は、タッチパネル２の特定の一か所の検出信号が基準値Ｖ０に達するまでの時間ｔから、温度−時間テーブルを用いてタッチパネル２の温度を推定し、推定した温度が高温かどうかを判断した。
【００６０】
これに対して、本実施の形態では、時間ｔを直接用いて高温かどうかを判定する。
図１１は、第３の実施形態におけるタッチパネル２の表面の高温判定手順を表わすフローチャートである。
【００６１】
ステップＳ３０１において、着信、メール受信、またはユーザのボタン操作などによって低消費電力モードであるスリープモードから復帰した直後の場合に、処理がステップＳ２０２に進む。
【００６２】
ステップＳ３０２において、表面温度推定部２６は、タッチパネル２の特定の一か所において、受信信号が基準値Ｖ０に達するまでの時間ｔを検出する。たとえば、表面温度推定部２６は、駆動信号ＤＲ１が出力されたときの検出信号ＤＴ１が基準値Ｖ０に達するまでの時間ｔを検出する。
【００６３】
ステップＳ３０３において、検出した時間ｔが閾値ＴＨ２以下の場合に、処理がステップＳ３０４に進む。閾値ＴＨ２は、タッチパネル２の温度がＴＨ１のときに、タッチパネル２の特定の一か所の検出信号が基準値Ｖ０に達するまでの時間である。
【００６４】
ステップＳ３０４において、通知部６は、図８に示すようなタッチパネル２の表面が高温である旨の警告を表示部５に表示する。
【００６５】
以上のように、本実施の形態によれば、検出信号が基準値に達するまでの時間を検出することによって、タッチパネルの表面が所定の温度まで高温化したか否かを判定することができる。これによって、検出信号が基準値に達するまでの時間をタッチパネルの表面の温度へ換算する処理を省略することができる。
【００６６】
［第４の実施形態］
本実施の形態では、タッチパネル２の表面の温度が高温のときに警告を表示するのではなく、タッチパネル２の表面の温度が低温のときに警告を表示する。
【００６７】
図１２は、第４の実施形態におけるタッチパネル２の表面の高温判定手順を表わすフローチャートである。
【００６８】
ステップＳ４０１において、着信、メール受信、またはユーザのボタン操作などによって低消費電力モードであるスリープモードから復帰した直後の場合に、処理がステップＳ４０２に進む。
【００６９】
ステップＳ４０２において、表面温度推定部２６は、タッチパネル２の特定の一か所の静電容量Ｃを検出する。たとえば、表面温度推定部２６は、駆動信号ＤＲ１が出力されたときの検出信号ＤＴ１の時定数を調べることによって、送電電極Ｔｘ１と受電電極Ｒｘ１の交差領域Ｐ（１，１）の静電容量Ｃ（１，１）を求める。
【００７０】
ステップＳ４０３において、表面温度推定部２６は、温度−静電容量テーブルを用いて、検出した静電容量に対応するタッチパネル２の表面の温度Ｔを推定する。
【００７１】
ステップＳ４０４において、推定した温度Ｔが閾値ＴＨ３以下の場合に、処理がステップＳ４０５に進む。
【００７２】
ステップＳ４０５において、通知部６は、タッチパネル２の表面が低温である旨の警告を表示部５に表示する。
【００７３】
以上のように、本実施の形態によれば、電子機器が温度の低い環境に置かれた結果、タッチパネルの表面が低温化したときに、ユーザに警告を表示する。これにより、ユーザは、低温化したタッチパネルを触るのを回避することができる。
【００７４】
［第５の実施形態］
本実施の形態では、所定の周期Ｘごとにタッチパネル２の表面の温度を推定する。この場合、タッチパネル２の静電容量を検出し、タッチパネル２の表面の温度を推定している間に、ユーザの指がタッチパネル２に触れていると正確な温度推定ができない。それゆえ、通知部６は、タッチパネル制御部３が、タッチパネル２の静電容量を検出し、タッチパネル２の表面の温度を推定している間において、ユーザがタッチパネル２に触れないように警告を表示する。
【００７５】
図１３は、第５の実施形態におけるタッチパネル２の表面の高温判定手順を表わすフローチャートである。
【００７６】
ステップＳ５０１において、前回の温度推定から所定の周期Ｘが経過すると、処理がステップＳ５０２に進む。
【００７７】
ステップＳ５０２において、通知部６が、タッチパネル２に触れないように通知する警告を表示部５に表示する。
【００７８】
ステップＳ５０３において、表面温度推定部２６は、タッチパネル２の特定の一か所の静電容量Ｃを検出する。たとえば、表面温度推定部２６は、駆動信号ＤＲ１が出力されたときの検出信号ＤＴ１の時定数を調べることによって、送電電極Ｔｘ１と受電電極Ｒｘ１の交差領域Ｐ（１，１）の静電容量Ｃ（１，１）を求める。
【００７９】
ステップＳ５０４において、表面温度推定部２６は、温度−静電容量テーブルを用いて、検出した静電容量に対応するタッチパネル２の表面の温度Ｔを推定する。
【００８０】
ステップＳ５０５において、推定した温度Ｔが閾値ＴＨ１以上の場合に、処理がステップＳ５０６に進む。
【００８１】
ステップＳ５０６において、通知部６は、図８に示すようにタッチパネル２の表面が高温である旨の警告を表示部５に表示する。
【００８２】
以上のように、本実施の形態によれば、タッチパネルの表面の温度を測定している間は、ユーザがタッチパネルに触れないように警告を表示する。これにより、タッチパネルの表面の温度測定が、ユーザの指のタッチパネルへの接触によって妨害されるのを防止することができる。
【００８３】
（変形例）
本発明は、上記の実施形態に限定されるものではなく、たとえば以下のような変形例も含む。
【００８４】
（１）温度推定箇所
本発明の実施形態では、タッチパネル２の特定の一か所の表面の温度を推定することとしたが、これに限定されるものではない。たとえば、タッチパネル２の特定の数か所または全部の表面の温度を推定し、その中の平均値または最大値が閾値ＴＨ１以上のときに高温である旨の警告を表示するものとしてもよい。また、タッチパネル２の特定の数か所または全部の表面の温度を推定し、その中の平均値または最小値が閾値ＴＨ３以下のときに低温である旨の警告を表示するものとしてもよい。
【００８５】
（２）温度推定のタイミング
本発明の実施形態では、ユーザがタッチパネルに触れていない可能性が高いスリープモードが解除された直後のタイミング、またはタッチパネルに触れないように通知する警告を表示しているタイミングで、タッチパネルの表面の温度を推定することとした。これは、ユーザの指がタッチパネルに触れたときにも、タッチパネルの表面が低温化したときと同様に、タッチパネルの静電容量が大きくなるからである。
【００８６】
しかしながら、タッチパネルが低温化することがないような環境下で電子機器を使用する場合には、任意のタイミングでタッチパネルの表面の温度を推定することができる。
【００８７】
さらに、タッチパネルに触れた場合の静電容量は、タッチパネルの表面が低温化したときの静電容量よりも大きいという特徴がある。したがって、３つの閾値ＴＨＡ、ＴＨＢ、ＴＨＣを設ける（ＴＨＡ＜ＴＨＢ＜ＴＨＣ）ことによって、タッチパネルの表面の高温化、低温化、タッチパネルへのユーザの指の接触を判別するようにすることができる。
【００８８】
すなわち、検出された静電容量が閾値ＴＨ１以下のときにタッチパネルの表面が高温である旨の警告を表示し、検出された静電容量が閾値ＴＨ２以上、かつ閾値ＴＨ３以下のときにタッチパネルの表面が低温である旨の警告を表示し、検出された静電容量が閾値ＴＨ３を超えるときにタッチパネルにユーザの指が接触したと判断するようにしてもよい。
【００８９】
（３）電子機器
本発明は、タッチパネルを備える電子機器の一例として携帯端末について説明したが、これに限定するものではない。本発明は、たとえば、タブレット端末、およびタブレットを備えたパソコンなどの電子機器にも適用できる。
【００９０】
（４）警告の別の例
図１４〜図１７を用いて、タッチパネルの表面が高温のときに表示される警告の別の例について説明する。
【００９１】
図１４は、着信時に表示される警告の例を表わす図である。
着信時において、ユーザは、電話に応答するか否かを指定するために、タッチパネル上の応答が表示されている領域７１、または拒否が表示されている領域７２を触る。タッチパネルの表面が高温の場合には、警告を表示することによって、ユーザに注意を促すことができる。
【００９２】
図１５は、不在着信時に表示される警告の例を表わす図である。
着信不在時において、ユーザは、相手に電話をかけるために、タッチパネル上の不在着信が表示されている領域７３を触る。タッチパネルの表面が高温の場合には、警告を表示することによって、ユーザに注意を促すことができる。
【００９３】
図１６は、ニュースの受信時に表示される警告の例を表わす図である。
ニュースを受信したときに、ユーザは、ニュースをすぐに見るか否かを指定するために、「後でみる」と表示されている領域７４、または「すぐみる」と表示されている領域７５を触る。タッチパネルの表面が高温の場合には、警告を表示することによって、ユーザに注意を促すことができる。
【００９４】
図１７は、ロック解除時に表示される警告の例を表わす図である。
ロックを解除するときに、ユーザは、ロックＮｏ．を入力するために、「ロックＮｏ．」の入力領域７７、またはキーパッドが表示されている領域７６に触れる。タッチパネルの表面が高温の場合には、警告を表示することによって、ユーザに注意を促すことができる。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９６】
１  携帯端末、２  タッチパネル、３  タッチパネル制御部、４  テーブル記憶部、５  表示部、６  通知部、７  アプリケーション実行部、８  音声出力部、９  音声入力部、１０  無線通信部、２５  駆動および検出回路、２６  表面温度推定部、２８  タッチ検出部。
【図１】
2016091052.tif 000003
【図２】
2016091052.tif 000004
【図３】
2016091052.tif 000005
【図４】
2016091052.tif 000006
【図５】
2016091052.tif 000007
【図６】
2016091052.tif 000008
【図７】
2016091052.tif 000009
【図８】
2016091052.tif 000010
【図９】
2016091052.tif 000011
【図１０】
2016091052.tif 000012
【図１１】
2016091052.tif 000013
【図１２】
2016091052.tif 000014
【図１３】
2016091052.tif 000015
【図１４】
2016091052.tif 000016
【図１５】
2016091052.tif 000017
【図１６】
2016091052.tif 000018
【図１７】
2016091052.tif 000019